(57)【要約】【課題】フィルタから除去した塵埃の廃棄作業を必要としない天井埋込型空気調和機を提供する。【解決手段】天井埋込型空気調和機１００は、送風機９、熱交換器１１、及びドレンパン１３を有し、ドレンパン１３に設けた吸込口２６に送風機９の吸込部が臨む天井埋込型空気調和機１００において、熱交換器１１の空気上流側に吸込空気の塵埃を捕集するロールフィルタ５０を配置し、このロールフィルタ５０に付着した塵埃を水溜め部２７に落とし、この水溜め部２７に落とした塵埃をドレンパン１３に溜まったドレンにより排出可能な構成とする。【選択図】図２
2010078228.tif 000002
【特許請求の範囲】
【請求項１】
送風機、熱交換器、及びドレンパンを有し、ドレンパンに設けた吸込口に送風機の吸込部が臨む天井埋込型空気調和機において、
前記熱交換器の空気上流側に吸込空気の塵埃を捕集するフィルタを配置し、
このフィルタに付着した塵埃を水溜め部に落とし、
この水溜め部に落とした塵埃をドレンパンに溜まったドレンにより排出可能としたことを特徴とする天井埋込型空気調和機。
【請求項２】
前記ドレンパンに前記水溜め部を形成したことを特徴とする請求項１に記載の天井埋込型空気調和機。
【請求項３】
前記ドレンパンに前記フィルタを支持し、
前記フィルタの一端側に前記ドレンパンに連通した前記水溜め部を設け、
この水溜め部に、前記フィルタの塵埃を前記水溜め部に落とす除去手段を備えたことを特徴とする請求項１又は２に記載の天井埋込型空気調和機。
【請求項４】
前記ドレンパンの吸込口側にフィルタチャンバを備え、
このフィルタチャンバに前記フィルタを支持し、
前記フィルタの一端側に前記ドレンパンに連通した前記水溜め部を設け、
この水溜め部に、前記フィルタの塵埃を前記水溜め部に落とす除去手段を備えたことを特徴とする請求項１に記載の天井埋込型空気調和機。
【請求項５】
前記フィルタがロールフィルタであり、前記ドレンパンの吸込口に配置され、前記ドレンパンの円形吸込口の径よりも大きい幅の帯状フィルタ素材を巻いて形成されることを特徴とする請求項１ないし４のいずれか一項に記載の天井埋込型空気調和機。
【請求項６】
前記熱交換器で熱交換した空気を加湿する加湿手段を備え、
この加湿手段のドレンを前記ドレンパン、及び前記水溜め部の順に流し、
前記水溜め部に落とした塵埃を当該ドレンにより排出可能としたことを特徴とする請求項１ないし５のいずれか一項に記載の天井埋込型空気調和機。
【発明の詳細な説明】
【技術分野】
【０００１】
本発明は、吸込空気の塵埃を捕集するフィルタを備えた天井埋込型空気調和機に関する。
【背景技術】
【０００２】
従来、天井埋込型空気調和機において、吸込空気の塵埃を捕集するフィルタのメンテナンスを容易にすべく、フィルタから塵埃を除去する除去手段を設けたものが提案されている。この除去手段は、フィルタに付着した塵埃を除去する回転ブラシと、この回転ブラシで除去した塵埃を捕集するダストボックスと、このダストボックス及び回転ブラシをフィルタに沿って移動させるガイドレール及び駆動モータと、を昇降可能な吸込グリル上に設けた構成となっている（例えば、特許文献１参照）。
【特許文献１】特開２００７−４０６８９号公報
【発明の開示】
【発明が解決しようとする課題】
【０００３】
しかし、従来の構成では、ダストボックス内に所定量の塵埃が溜まる度に、吸込グリルを降下させてダストボックス内に溜まった塵埃を廃棄しなければならず、手間がかかるという問題があった。
そこで、本発明の目的は、上述した従来の技術が有する課題を解消し、フィルタから除去した塵埃の廃棄作業を必要としない天井埋込型空気調和機を提供することにある。
【課題を解決するための手段】
【０００４】
上記課題を解決するため、本発明の天井埋込型空気調和機は、送風機、熱交換器、及びドレンパンを有し、ドレンパンに設けた吸込口に送風機の吸込部が臨む天井埋込型空気調和機において、前記熱交換器の空気上流側に吸込空気の塵埃を捕集するフィルタを配置し、このフィルタに付着した塵埃を水溜め部に落とし、この水溜め部に落とした塵埃をドレンパンに溜まったドレンにより排出可能としたことを特徴とする。
上記構成によれば、フィルタから除去した塵埃がドレンによって外部に排出されるので、塵埃の廃棄作業を必要とせず、メンテナンスに係る労力を軽減できる。
【０００５】
また本発明は、上記天井埋込型空気調和機において、前記ドレンパンに前記水溜め部を形成したことを特徴とする。
上記構成によれば、水溜め部を別部材として設ける必要がなくなり、構成を簡素化することができるとともに、ドレンを水溜め部に容易に流すことができる。
【０００６】
また本発明は、上記天井埋込型空気調和機において、前記ドレンパンに前記フィルタを支持し、前記フィルタの一端側に前記ドレンパンに連通した前記水溜め部を設け、この水溜め部に、前記フィルタの塵埃を前記水溜め部に落とす除去手段を備えたことを特徴とする。
上記構成によれば、フィルタを支持する部材を別途に設ける必要がなくなり、構成を簡素化することができる。また、このフィルタの近傍に、水溜め部及び除去手段が配置されることとなり、構成が簡素化かつ小型化する。
【０００７】
また本発明は、上記天井埋込型空気調和機において、前記ドレンパンの吸込口側にフィルタチャンバを備え、このフィルタチャンバに前記フィルタを支持し、前記フィルタの一端側に前記ドレンパンに連通した前記水溜め部を設け、この水溜め部に、前記フィルタの塵埃を前記水溜め部に落とす除去手段を備えたことを特徴とする。
上記構成によれば、フィルタを支持する部材を別途に設ける必要がなくなり、構成を簡素化することができる。また、このフィルタの近傍に、水溜め部及び除去手段が配置されることとなり、構成が簡素化かつ小型化する。
【０００８】
また本発明は、上記天井埋込型空気調和機において、前記フィルタがロールフィルタであり、前記ドレンパンの吸込口に配置され、前記ドレンパンの円形吸込口の径よりも大きい幅の帯状フィルタ素材を巻いて形成されることを特徴とする。
上記構成によれば、円形吸込口の全面がロールフィルタで覆われることとなり、ロールフィルタで吸込空気の塵埃を効果的に捕集することができる。
【０００９】
また本発明は、上記天井埋込型空気調和機において、前記熱交換器で熱交換した空気を加湿する加湿手段を備え、この加湿手段のドレンを前記ドレンパン、及び前記水溜め部の順に流し、前記水溜め部に落とした塵埃を当該ドレンにより排出可能としたことを特徴とする。
上記構成によれば、加湿運転時には、フィルタから除去した塵埃が加湿手段のドレンによって外部に排出されるので、暖房運転時に加湿運転を行うことで、熱交換器でドレンが発生しない暖房運転時であっても、塵埃の廃棄作業を必要とせず、メンテナンスに係る労力を軽減できる。
【発明の効果】
【００１０】
本発明によれば、熱交換器の空気上流側に吸込空気の塵埃を捕集するフィルタを配置し、このフィルタに付着した塵埃を水溜め部に落とし、この水溜め部に落とした塵埃をドレンパンに溜まったドレンにより排出可能としたことにより、フィルタから除去した塵埃がドレンによって外部に排出されるので、塵埃の廃棄作業を必要とせず、メンテナンスに係る労力を軽減できる。
【発明を実施するための最良の形態】
【００１１】
以下、図面を参照して本発明の実施形態を詳述する。
図１は、本発明の実施の形態に係る天井埋込型空気調和機の吸込グリルを外した状態を示す斜視図であり、図２は、天井埋込型空気調和機を示す断面図である。
天井埋込型空気調和機１００は、箱形に形成された板金製の本体ユニット１を有し、この本体ユニット１と、フィルタチャンバ２０と、化粧パネル２１とが三段に重ねられて構成されている。
本体ユニット１の外側面には、複数の吊り金具１Ｂが設けられており、各々の吊り金具１Ｂには、天井面１１０に固定された吊下ボルト２がナット４によって固定され、これらの吊下ボルト２を介して、天井埋込型空気調和機１００は天井面１１０から吊り下げ設置される。この場合、天井埋込型空気調和機１００の化粧パネル２１は、上記天井面１１０の下方に天井裏空間１１１を介して設けられる天井板１１２に配置されて被調和室に露出している。
【００１２】
図２に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたファンモータ５と、ファンモータ５のシャフトに取り付けられたターボファン７とで構成されている。熱交換器１１は、上面視で五角形に成形されたプレートフィン型の熱交換器であり、送風機９を取り囲むように配置される。
【００１３】
熱交換器１１の下方には、熱交換器１１の下面１１Ａを覆うように、発泡スチロール樹脂等の合成樹脂製の上部ドレンパン１３Ａが配設されている。
上部ドレンパン１３Ａは、本体ユニット１の側板１Ａの内面に接するように配設されている。上部ドレンパン１３Ａの中央には略円形の吸込開口（吸込口）１４が開口し、この吸込口１４には、上記送風機９の吸込部が臨んでいる。また、上部ドレンパン１３Ａの周縁部には熱交換器１１を通った送風機９の排気を通すための吹出開口１５が形成されている。また、上部ドレンパン１３Ａには、下方にドレンを流すドレン通路１６Ａが形成されている。吸込開口１４の上部には、吸込開口１４を通った被調和室の空気を送風機９に案内するノズル１７が取り付けられている。
【００１４】
本体ユニット１の側板１Ａには、図１に示すように、ノックアウトホール部１Ｃが形成されている。ノックアウトホール部１Ｃは、側板１Ａの一部を構成する板により塞がれた略長方形の孔である。必要に応じてこのノックアウトホール部１Ｃを塞ぐ板を押し込むことにより、ノックアウトホール部１Ｃを塞ぐ板が脱落し、加湿器（加湿手段）４０（図２参照）接続用の開口部１Ｄが形成される。なお、本実施形態では、４枚の側板１Ａのうち、図１における背面側の側板１Ａのノックアウトホール部１Ｃを開口させ、この開口部１Ｄに加湿器４０が取り付けられている。
【００１５】
加湿器４０は、図２に示すように、本体ユニット１の側板１Ａの開口部１Ｄを塞ぐベース板４１を備え、このベース板４１の外側に加湿エレメント４２が配置され、このベース板４１の内側に給水ユニット４３が配置されている。本構成では、本体ユニット１の外側から、開口部１Ｄに加湿エレメント４２を差し込み、ベース板４１と側板１Ａとを固定して本体ユニット１に取り付けることで、開口部１Ｄが閉鎖される。
加湿器４０を開口部１Ｄに差し込んで固定した状態では、加湿エレメント４２が熱交換器１１に隣り合うように位置する。加湿エレメント４２は、上部ドレンパン１３Ａ上に配置されており、加湿エレメント４２のドレンが上部ドレンパン１３Ａに流下するようになっている。したがって、加湿器４０を設け、加湿運転を行うことで、熱交換器１１でドレンが発生しない暖房運転時であっても、加湿エレメント４２のドレンが上部ドレンパン１３Ａに流下するようになっている。
【００１６】
フィルタチャンバ２０は、本体ユニット１の直下に配設されており、このフィルタチャンバ２０には、発泡スチロール樹脂等の合成樹脂製の下部ドレンパン１３Ｂが上部ドレンパン１３Ａの直下に配設されている。下部ドレンパン１３Ｂには、上部ドレンパン１３Ａの吹出開口１５に連通する通風孔２５と、吸込開口１４に連通する略円形の吸込開口２６とが形成されている。この下部ドレンパン１３Ｂと、上述の上部ドレンパン１３Ａによってドレンパン１３が構成されている。
ドレンパン１３の下部には、上部ドレンパン１３Ａのドレン通路１６Ａから流下するドレンを溜める水溜め部２７が形成されている。この水溜め部２７は、吸込開口２６に臨むドレンパン１３が切り取られて形成される凹部であり、一の側板１Ａに沿って長尺に延びている。このように、ドレンパン１３に水溜め部２７を形成したことにより、水溜め部２７を別部材として設ける必要がなくなり、構成を簡素化することができる。また、ドレンパン１３にドレン通路１６Ａを形成するだけで、ドレンを水溜め部２７に容易に流すことができる。
【００１７】
水溜め部２７には、水溜め部２７に溜まったドレンを外部に排出するドレンホース２８が接続されている。このため、熱交換器１１及び加湿エレメント４２から流下し、ドレン通路１６Ａから水溜め部２７に流れ込んだドレンは、ドレンホース２８から天井埋込型空気調和機１００の外部に排出される。
また、ドレンパン１３には天井埋込型空気調和機１００の制御回路や電源回路等を収容した電装ボックス（図示略）等の各種部品がねじ止めされている。
【００１８】
フィルタチャンバ２０の下面には、被調和室内に露出する化粧パネル２１がねじ（図示略）等により取り付けられている。化粧パネル２１には、被調和室の空気を吸込む吸込口２２と、熱交換器１１を通った調和空気を被調和室に吹き出す吹出口２３とが形成され、この吹出口２３には、風向を変更するためのルーバ２４が設けられている。
吸込口２２はフィルタチャンバ２０の吸込開口２６に連通し、吹出口２３はフィルタチャンバ２０の通風孔２５に連通する位置および形状に形成されている。
また、化粧パネル２１には、吸込口２２に嵌合する吸込グリル３０が取り付けられている。吸込グリル３０の中央には室内空気を吸い込む吸込口３１が形成され、この吸込グリル３０が吸込口２２に嵌合した状態で吸込口３１が吸込開口２６に連通する。
【００１９】
このように構成される天井埋込型空気調和機１００は、図示しない室外機から供給される冷媒を熱交換器１１に通して、熱交換器１１を蒸発器または凝縮器として機能させ、図２に示すように、送風機９の動作によって吸込口３１から被調和室の室内空気を吸い込み、吸込開口２６、吸込開口１４、及びノズル１７を通して室内空気を熱交換器１１に通して冷却または加熱し、調和空気とする。そして、天井埋込型空気調和機１００は、送風機９の動作によって、調和空気を吹出開口１５及び通風孔２５を通して吹出口２３から被調和室に吹き出し、被調和室を冷房または暖房する。なお、暖房運転時には、加湿運転が行われ、熱交換器１１で調和された調和空気が、加湿エレメント４２を通ることにより加湿される。
【００２０】
フィルタチャンバ２０の吸込開口２６には、ロールフィルタ（フィルタ）５０が配設されている。ロールフィルタ５０は、送風機９によって吸込口３１から吸い込まれた被調和室内の空気を通過させる際に、この吸込空気中に浮遊する塵埃を捕集するフィルタであり、室内空気が入る吸込口３１側の面は、塵埃が付着する捕集面５０Ａとなる。このロールフィルタ５０は、一枚の帯状フィルタ素材の短辺同士を接着して筒状に形成され、その幅は、吸込開口２６の径より大きく形成されている。ロールフィルタ５０は、ドレンパン１３内に配設されたガイドローラ５１，５２に架け渡されている。これらのガイドローラ５１，５２は、それぞれ吸込開口２６の外側に配設されている。すなわち、ガイドローラ５１，５２間に張られたロールフィルタ５０は、吸込開口２６の全面を覆っていて、このガイドローラ５１，５２間に吸込空気を通過させる。
ロールフィルタ５０には、ロールフィルタ５０の捕集面５０Ａに付着した塵埃を掻き落とすためのブラシ６０が当接されている。
以下、このロールフィルタ５０及びブラシ６０の配置構造について詳細に説明する。
【００２１】
図３は、ドレンパン１３を拡大して示す断面図である。
ドレンパン１３の水溜め部２７は、底面２７Ａと、ドレンパン１３の内側に配置される低壁面２７Ｂと、ドレンパン１３の外側に配置される高壁面２７Ｃと、水溜め部２７の短辺を覆う壁面２７Ｄとを備えて構成され、底面２７Ａの上方には、上面２７Ｅが形成されている。低壁面２７Ｂは、ロールフィルタ５０が配置される分だけ、高壁面２７Ｃより低く形成されている。
この水溜め部２７には、水位を検出するフロートスイッチＳが設けられている。このフロートスイッチＳは、水溜め部２７の水位が所定の上限水位を上回った場合に動作するスイッチである。高壁面２７Ｃの最下部には、ドレンホース２８が接続されており、このドレンホース２８には、図示しない電磁弁が設けられている。この電磁弁は、フロートスイッチＳが動作した場合、及び、ロールフィルタ５０に付着した塵埃Ｄが除去された場合に開放されるよう制御される。
水溜め部２７の上方には、ドレン通路１６Ａの下流口１６Ｂが設けられており、この下流口１６Ｂには、ドレン通路１６Ａから流れ出たドレンが上面２７Ｅに伝うのを防止する水切り部材１６Ｃが形成されている。この水きり部材１６Ｃは、下流口１６Ｂを囲うように下方に延びる部材であり、ドレンパン１３に一体に形成されている。
【００２２】
この水溜め部２７の上方には、一方のガイドローラ５１が配置され、ロールフィルタ５０の一端が収納されている。このガイドローラ５１は、ガイドローラ５１の軸５１Ａが少なくとも吸込開口２６よりも外側に位置し、ガイドローラ５１の底部５１Ｂが低壁面２７Ｂの上面より若干上に位置するように配置され、ドレンパン１３の壁面に直接またはステー等を介して、回転可能に支持されている。
ガイドローラ５１の外側には、ブラシ６０が配設されている。ブラシ６０は、ロールフィルタ５０の全幅に渡って延在する棒形状の部材であって、植毛部６０Ａを備え、この植毛部６０Ａがロールフィルタ５０の捕集面５０Ａに当接した状態でドレンパン１３の壁面に支持されている。このブラシ６０は、ドレン通路１６Ａから落ちるドレンがかからないように、水きり部材１６Ｃより内側に配置されている。すなわち、ガイドローラ５１は、水きり部材１６Ｃよりブラシ６０の幅分だけ内側に配置されることとなる。このような配置により、ロールフィルタ５０にドレンがかかるのが防止される。
このように、ロールフィルタ５０の一端側に、水溜め部２７及びブラシ６０を設けることで、塵埃除去に必要なロールフィルタ５０、水溜め部２７、及び、ブラシ６０が近傍に配置されることとなるので、構成が簡素化かつ小型化する。
【００２３】
ドレンパン１３には、水溜め部２７に対向して、ロールフィルタ５０の他端を収納する収納部２９が形成されている。この収納部２９は、吸込開口２６に臨むドレンパン１３が例えば側面視で矩形状に切り取られて形成される空間であり、水溜め部２７に沿って長尺に延びている。
この収納部２９には、他方のガイドローラ５２と、ガイドローラ５２を回転させるモータ５３とが長尺方向に隣接して配置されている。ガイドローラ５２は、ガイドローラ５２の軸５２Ａが少なくとも吸込開口２６よりも外側に位置し、ガイドローラ５２の底部５２Ｂが収納部２９の底面２９Ａより若干上に位置するように配置され、ドレンパン１３の壁面に直接またはステー等を介して、回転可能に支持されている。このように、ガイドローラ５１，５２の軸５１Ａ，５２Ａが少なくとも吸込開口２６よりも外側に位置するように配置されているので、ロールフィルタ５０は、吸込開口２６の全面を覆うことができるようになっており、効果的に捕集することができる。また、ロールフィルタ５０は、水溜め部２７の低壁面２７Ｂの上面及び収納部２９の底面２９Ａのすぐ上方に配置されているため、吸気空気が水溜め部２７及び収納部２９に入らずに、吸気空気のほぼすべてがロールフィルタ５０を通過するようになっている。
【００２４】
モータ５３は、収納部２９の長尺方向の端部に配置され、ドレンパン１３の壁面にねじ止めされている。モータ５３の回転軸（不図示）は、ガイドローラ５２の軸５２Ａに連結されており、モータ５３の回転動作によってガイドローラ５２が回転する。モータ５３は、図３中の矢印Ａ方向（反時計周り方向）に回転駆動するように制御され、このモータ５３の回転がガイドローラ５２に伝達されるため、ロールフィルタ５０は、図３中の矢印Ｂ方向（反時計周り方向）に回転される。
【００２５】
次に、動作について説明する。
深夜時間帯等、天井埋込型空気調和機１００の運転が停止している場合に、モータ５３が動作される。このモータ５３が動作されると、このモータ５３の回転がガイドローラ５２に伝達され、このガイドローラ５２の回転によって、ロールフィルタ５０が回転する。
なお、ロールフィルタ５０のうち、吸込口３１側の吸込開口２６に臨む部分が吸込空気を通すフィルタとして機能し、送風機９側の吸込開口２６に臨む部分は塵埃Ｄが付着せず、吸込口３１側の吸込開口２６に臨む部分に比べ、綺麗な状態に保たれているので、吸込口３１側に位置するロールフィルタ５０の周の半分に相当する長さを１回分とする。したがって、１回分の長さのロールフィルタ５０を矢印Ｂ方向に回転させることによって、送風機９側の吸込開口２６に臨んでいた比較的綺麗なフィルタが吸込口３１側の吸込開口２６側に繰り出される。
【００２６】
ロールフィルタ５０の回転中、吸込口３１側の吸込開口２６に臨んでいた捕集面５０Ａに付着していた塵埃Ｄは、ロールフィルタ５０に当接するブラシ６０によって水受け部２７に掻き落とされ、ブラシ６０の下方に配置される水溜め部２７に捕集される。
ロールフィルタ５０の回転が終了すると、ドレンホース２８の電磁弁が開放される。これにより、水溜め部２７に捕集された塵埃Ｄは、水溜め部２７に溜まったドレンとともにドレンホース２８を介して外部に排出される。
【００２７】
以上説明したように、本実施の形態によれば、熱交換器１１の空気上流側に吸込空気の塵埃を捕集するロールフィルタ５０を配置し、このロールフィルタ５０に付着した塵埃を水溜め部２７に落とし、この水溜め部２７に落とした塵埃をドレンパン１３に溜まったドレンにより排出可能としたことにより、ロールフィルタ５０から除去した塵埃がドレンとともに外部に排出されるので、塵埃の廃棄作業を必要とせず、メンテナンスに係る労力を軽減できる。
【００２８】
また、上記実施の形態によれば、ドレンパン１３に水溜め部２７を形成したことにより、水溜め部２７を別部材として設ける必要がなくなり、構成を簡素化することができるとともに、ドレンを水溜め部２７に容易に流すことができる。
【００２９】
また、上記実施の形態によれば、ドレンパン１３にロールフィルタ５０を支持し、ロールフィルタ５０の一端側にドレンパン１３に連通した水溜め部２７を設け、水溜め部２７に、ロールフィルタ５０の塵埃を水溜め部２７に落とすブラシ６０を備えたことにより、ロールフィルタ５０を支持する部材を別途に設ける必要がなくなり、構成を簡素化することができる。また、このロールフィルタ５０の近傍に、水溜め部２７及びブラシ６０が配置されることとなり、構成が単純かつ小型化する。
【００３０】
また、上記実施の形態によれば、ドレンパン１３の吸込開口２６側にフィルタチャンバ２０を備え、このフィルタチャンバ２０にロールフィルタ５０を支持し、ロールフィルタ５０の一端側にドレンパン１３に連通した水溜め部２７を設け、この水溜め部２７に、ロールフィルタ５０の塵埃を水溜め部２７に落とすブラシ６０を備えたことにより、ロールフィルタ５０を支持する部材を別途に設ける必要がなくなり、構成を簡素化することができる。また、このロールフィルタ５０の近傍に、水溜め部２７及びブラシ６０が配置されることとなり、構成が簡素化かつ小型化する。
【００３１】
また、上記実施の形態によれば、フィルタがロールフィルタ５０であり、ドレンパン１３の吸込開口２６に配置され、ドレンパン１３の円形吸込開口２６の径よりも大きい幅の帯状フィルタ素材を巻いて形成される構成としたことにより、円形吸込開口２６の全面がロールフィルタ５０で覆われることとなり、ロールフィルタ５０で吸込空気の塵埃を効果的に捕集することができる。
【００３２】
また、上記実施の形態によれば、熱交換器１１で熱交換した空気を加湿する加湿器４０を備え、この加湿器４０のドレンをドレンパン１３、及び水溜め部２７の順に流し、水溜め部２７に落とした塵埃をドレンにより排出可能としたことにより、加湿運転時には、ロールフィルタ５０から除去した塵埃が加湿器４０のドレンとともに外部に排出される。このため、暖房運転時に加湿運転を行うことで、熱交換器１１でドレンが発生しない暖房運転時であっても、塵埃の廃棄作業を必要とせず、メンテナンスに係る労力を軽減できる。
【００３３】
但し、上記実施の形態は本発明の一態様であり、本発明の趣旨を逸脱しない範囲において適宜変更可能であるのは勿論である。
例えば、上記実施の形態では、水溜め部２７に溜まったドレンをドレンホース２８で排出する構成としたが、水溜め部２７に排出手段としてドレンポンプを設け、このドレンポンプによって水溜め部２７に溜まったドレンを排出する構成としてもよい。
【００３４】
また、上記実施の形態では、除去手段として植毛部６０Ａを有するブラシ６０を設けたが、除去手段は、ロールフィルタ５０の捕集面５０Ａ当接し、捕集面５０Ａに付着した塵埃を除去できるものであればこれに限定されない。
【００３５】
さらに、上記実施の形態では、除去手段としてのブラシ６０をロールフィルタ５０の捕集面５０Ａに常時当接させて捕集面５０Ａに付着した塵埃を掻き落とす構成としたが、捕集面５０Ａに対して揺動する除去手段を設け、捕集面５０Ａに付着した塵埃を叩き落とす構成としてもよい。
【００３６】
また、上記実施の形態では、ロールフィルタ５０をドレンパン１３の吸込開口２６に水平に設ける構成としたが、フィルタは、熱交換器１１の空気上流側に配置されればよく、例えば、送風機９の吹出側であって熱交換器１１の空気上流側に垂直に配置されてもよい。
【００３７】
また、上記実施の形態では、フィルタとしてロールフィルタ５０を設け、このロールフィルタ５０を回転中にブラシ６０によって捕集面５０Ａに付着した塵埃を除去する構成としたが、平面状のフィルタと、このフィルタに沿って移動させる除去手段とを設け、この除去手段によって除去した塵埃を水溜め部に落とし、この水溜め部に落とした塵埃をドレンパンに溜まったドレンにより排出可能な構成としてもよい。
【図面の簡単な説明】
【００３８】
【図１】本発明に係る天井埋込型空気調和機の吸込グリルを外した状態を示す斜視図である。
【図２】天井埋込型空気調和機を示す断面図である。
【図３】ドレンパンを拡大して示す断面図である。
【符号の説明】
【００３９】
１  本体ユニット
９  送風機
１１  熱交換器
１３  ドレンパン
１４  吸込開口（吸込口）
２６  吸込開口（吸込口）
２０  フィルタチャンバ
２７  水溜め部
２８  ドレンホース
３１  吸込口
４０  加湿器（加湿手段）
５０  ロールフィルタ（フィルタ）
６０  ブラシ（除去手段）
１００  天井埋込型空気調和機
【図１】
2010078228.tif 000003
【図２】
2010078228.tif 000004
【図３】
2010078228.tif 000005